(57)【要約】【課題】補正環付き対物レンズの補正環を簡単に回転操作でき、しかも異なる直径の補正環を持つ対物レンズにも適用できる補正環調整機能を有する試料保持装置を提供する。【解決手段】補正環６ｂを有する対物レンズ６の外周に設けられ、観察試料を対物レンズ６の光軸方向に移動可能にした位置調整手段を有する試料支持装置４であって、試料支持装置４の対物レンズ６に対応する側面に開口部を設け、この開口部の内部に、基端部を回動自在に支持され、先端部に円板状の操作部材１９を回転可能に支持した回動アーム１７が設けられ、この回動アーム１７を回動して操作部材１９を対物レンズ６の補正環６ｂに当接させた状態で、操作部材１９を回転することで補正環６ｂを回転操作する。【選択図】    図２
2005017454.tif 000002
【特許請求の範囲】
【請求項１】
補正環を有する対物レンズと、前記対物レンズの外周に設けられ、観察試料を該対物レンズの光軸方向に移動可能にした位置調整手段を有する試料支持装置において、
前記位置調整手段の前記対物レンズ側面に対応する側面に設けられた開口部と、
前記開口部の内部に配置され、且つ前記対物レンズの補正環に当接可能に設けられた操作手段と、を具備し
前記操作手段を前記補正環に当接した状態で、前記開口部の外部から前記操作手段を介して前記補正環を回転可能にしたことを特徴とする補正環調整機構を備えた試料支持装置。
【請求項２】
前記操作手段は、
基端部を回動自在に支持された回動アームと、前記回動アームの先端部に回転可能に支持され、前記回動アームの回動により前記対物レンズの補正環に周縁部を当接可能にした円板状の操作部材と、を具備し、
前記回動アームの回動により前記操作部材が前記補正環に当接した状態で、前記開口部の外部から前記操作部材を介して前記補正環を回転操作可能にしたことを特徴とする請求項１記載の試料支持装置。
【請求項３】
前記操作部材は、前記補正環に当接した状態で、前記開口部の外部に一部が突出していることを特徴とする請求項２記載の試料支持装置。
【請求項４】
前記操作部材は、前記補正環と当接する周縁部に前記補正環のローレットと噛合うような同一ピッチのローレットが形成されていることを特徴とする請求項２または３記載の試料支持装置。
【請求項５】
前記操作部材は、前記補正環と当接する周縁部に弾性部材が設けられていることを特徴とする請求項２または３記載の試料支持装置。
【請求項６】
弾性部材は、ゴムリングであることを特徴とする請求項５記載の試料支持装置。
【請求項７】
請求項１乃至６のいずれかに記載の前記試料支持装置を備えたことを特徴とする顕微鏡。
【発明の詳細な説明】
【０００１】
【発明の属する技術分野】
本発明は、経時的な試料観察を安定して行なうことを可能にした補正環調整機能を有する試料支持装置に関するものである。
【０００２】
【従来の技術】
一般に、顕微鏡を使用した試料観察は、顕微鏡ステージ上に載置された試料に対して対物レンズを接近させ、試料上の観察要部を拡大することで行うようにしている。この場合、試料に近接される対物レンズは、倍率が高くなるほど焦点深度が小さくなるため、対物レンズと観察試料との位置合わせが難しくなるとともに、対物レンズと試料との間の距離の微小の変化にも観察像が大きく劣化してしまう。
【０００３】
一方、対物レンズと観察試料との見かけ上の位置は、非常に近接しているが、これらの機械的結合長さは、顕微鏡フレーム、対物レンズ移動機構、レボルバなどの多数の機械部品が介在するため非常に大きい。これらの機械部品は、温度変化によりその寸法を変化しやすいことから、これら機械部品の数が多くなるほど寸法変化量が大きくなり、また、機械部品が多くなって、機械的結合長さが大きくなるほど振動に対しても弱く、振動振幅が大きくなってしまう。
【０００４】
このため、試料観察時に、観察試料に対して対物レンズの焦点合わせを行っても、例えば、照明のオンオフや内部電源および空調設備の作動により周囲温度が変化して各機械部品の寸法が変化すると、対物レンズと試料間の距離が大きく変化するため焦点が簡単にずれてしまうなど、対物レンズと観察試料との位置合わせ精度が低下してしまう。
【０００５】
そこで、従来、安定して試料観察を行なうために、特許文献１に開示されるように、対物レンズに、固定台、操作環および試料保持台により構成される位置調整手段を設け、この位置調整手段の操作環の回転操作により、試料保持台を回り止めピンが挿通されているガイド孔に沿って対物レンズの光軸方向に移動させ、対物レンズと観察試料の相対位置を調整すことにより、これらの間の位置合わせ精度を高めるようにしたフォーカス機構を備えた試料支持装置が考えられている。
【０００６】
このような試料支持装置によれば、対物レンズと試料保持台に載せられたスライドガラス（試料）との機械的長さを、位置調節手段としての固定台、操作環および試料保持台のみにより決定できることで、極めて短く設定できるので、周囲温度が変化した場合も試料と対物レンズの焦点の位置がほとんど変化することなく、また、外部振動に対しても影響を受けることがなくなり、常に安定した試料観察を行なうことができる。
【０００７】
ところで、対物レンズには、標本のカバーガラスの厚みの差による見えの劣化を補正するため補正機能を有する補正環を備えたものがある。
【０００８】
このような補正環を備えた対物レンズは、検鏡者が外部から補正環を操作することで、簡単に補正環調整ができることが必要である。
【０００９】
【特許文献１】
特願２００１−１１０４６９号明細書
【００１０】
【特許文献２】
実開平３−５８６１１号公報
【００１１】
【発明が解決しようとする課題】
ところが、特許文献１に開示される試料保持装置は、対物レンズの周囲を全て覆うように位置調節手段の各部品が配置されているため、対物レンズの補正環を回転調整することが全くできないという問題があった。
【００１２】
周囲が覆われた状態にある光学要素を外部から回転調整できるようにしたものとして、特許文献２に開示されるように、少なくとも２個の同歯数の環状歯車同士を噛合し、それらのうちの１個が外部に突出していることを特徴とし、回転調整を必要とする内部に位置する光学要素を、一部が外部に突出している歯車の回転操作により回転できるようにしたものがある。
【００１３】
ところが、特許文献２に開示されるものは、それぞれの歯車の回転中心軸が固定されているため、この考えを上述した試料保持装置に適用しようとすると、例えば、異なる直径の補正環を有するような対物レンズに適用しようとした場合は、補正環調整が全くできなくなってしまうことが考えられる。
【００１４】
本発明は上記事情に鑑みてなされたもので、補正環付き対物レンズの補正環を外部から簡単に回転操作でき、しかも異なる直径の補正環を持った対物レンズにも適用できる補正環調整機能を有する試料保持装置を提供することを目的とする。
【００１５】
【課題を解決するための手段】
請求項１記載の発明は、補正環を有する対物レンズと、前記対物レンズの外周に設けられ、観察試料を該対物レンズの光軸方向に移動可能にした位置調整手段を有する試料支持装置において、前記位置調整手段の前記対物レンズに対応する側面に設けられた開口部と、前記開口部の内部に配置され、且つ前記対物レンズの補正環に当接可能に設けられた操作手段と、を具備し、前記操作手段を前記補正環に当接した状態で、前記開口部の外部から前記操作手段を介して前記補正環を回転可能にしたことを特徴としている。
【００１６】
請求項２記載の発明は、請求項１記載の発明において、前記操作手段は、基端部を回動自在に支持された回動アームと、前記回動アームの先端部に回転可能に支持され、前記回動アームの回動により前記対物レンズの補正環に周縁部を当接可能にした円板状の操作部材と、を具備し、前記回動アームの回動により前記操作部材が前記補正環に当接した状態で、前記開口部の外部から前記操作部材を介して前記補正環を回転操作可能にしたことを特徴としている。
【００１７】
請求項３記載の発明は、請求項２記載の発明において、前記操作部材は、前記補正環に当接した状態で、前記開口部の外部に一部が突出していることを特徴としている。
【００１８】
請求項４記載の発明は、請求項２または３記載の発明において、前記操作部材は、前記補正環と当接する周縁部に前記補正環のローレットと噛合うような同一ピッチのローレットが形成されていることを特徴としている。
【００１９】
請求項５の発明は、請求項２または３記載の発明において、前記操作部材は、前記補正環と当接する周縁部に弾性部材が設けられていることを特徴としている。
【００２０】
請求項６記載の発明は、請求項５記載の発明において、弾性部材は、ゴムリングであることを特徴としている。
【００２１】
請求項７記載の発明は、請求項１乃至６のいずれかに記載の前記試料支持装置を備えたことを特徴とする顕微鏡である。
【００２２】
この結果、本発明によれば、対物レンズの補正環に操作手段を当接させ、この操作手段を外部から操作するにより補正環を回転させることができるので、補正環付き対物レンズの補正環を外部から簡単に回転操作できる。
【００２３】
また、本発明によれば、操作手段は、基端部を回動自在に支持された回動アームの先端部に円板状の操作部材が回転可能に支持され、回動アームの回動により操作部材を対物レンズの補正環に当接させた状態で、操作部材を回転することで補正環を操作できるので、異なる直径の補正環を持った対物レンズにも問題なく適用することができる。
【００２４】
【発明の実施の形態】
以下、本発明の実施の形態を図面に従い説明する。
【００２５】
（第１の実施の形態）
図１は、本発明の試料支持装置が適用される倒立顕微鏡の概略構成を示している。図において、１は顕微鏡本体で、この顕微鏡本体１上には、ステージ２が設けられている。
【００２６】
ステージ２の下方にはレボルバ３が配置されている。このレボルバ３には、本発明の試料支持装置４が設けられている。
【００２７】
図２は、試料支持装置４の概略構成を示すもので、図１に示す倒立顕微鏡の図示Ａ矢印方向（顕微鏡正面）から見た一部断面図、図３、図４は、図２をＢ矢印方向からみた横断面図である。
【００２８】
この場合、試料支持装置４は、位置調整手段を構成する固定台５、操作環７および試料保持台８を有している。固定台５は、筒状をしていて、一方の開口端部に小径部５ａが形成され、この小径部５ａの周面に、対物ねじ部５ｂが形成されている。この対物ねじ部５ｂは、レボルバ３の対物取付け穴部３ａにねじ込まれるものである。また、固定台５の一方開口部の内周面にも、ねじ部５ｃが形成されている。このねじ部５ｃには、対物レンズ６のねじ部６ａがねじ込まれ、この対物レンズ６を固定台５の中空部の軸線上に一体的に固定するようになっている。対物レンズ６は、後述するスライドガラス（試料）１２の厚さの誤差による像の見えの劣化を補正するため補正機能を有するもので、この機能を調整するための補正環６ｂが設けられている。補正環６ｂの周面には、ローレット６ｃ（図３参照）が形成されている。
【００２９】
固定台５の外周面には、ねじ部５ｄが形成されている。
【００３０】
固定台５には、操作環７が設けられている。操作環７は、底部７ａを有する筒状をなすとともに、この底部７ａ中央にねじ部７ｂが形成され、このねじ部７ｂが固定台５のねじ部５ｄにねじ込まれている。操作環７は、回転操作することで、操作環７全体をねじ部５ｄに沿って、つまり対物レンズ６の光軸Ｑ方向に沿って上下動できるようになっている。
【００３１】
操作環７には、試料保持台８が設けられている。試料保持台８は、筒状をなすもので、一方開口端が操作環７と固定台５の間に挿入されるとともに、自重により底部７ａ上に当接されている。
【００３２】
試料保持台８には、操作環７の移動方向に沿ってガイド穴８ａが形成されている。このガイド穴８ａには、固定台５周面に植設された回り止めピン９が挿通されている。これにより、試料保持台８は、操作環７の回転操作により、ガイド穴８ａでガイドされ、操作環７とともに対物レンズ６の光軸Ｑ方向に沿っ移動できるようになっている。
【００３３】
試料保持台８の他方開口端は、中心軸方向に折り曲げられている。折り曲げ部８ｃ上には、マグネット１０が設けられている。
【００３４】
また、試料保持台８の折り曲げ部８ｃには、マグネット１０に吸着されるようにして磁気吸着ステンレスからなる試料台１１が配置されている。
【００３５】
試料台１１は、対物レンズ６の光軸Ｑに対応する位置に観察用穴部１１ａが形成されている。観察用穴部１１ａ上には、スライドガラス（試料）１２が載置されている。
【００３６】
一方、図３（図４）に示すように、試料保持台８の側面には、開口部８ｂが形成されている。
【００３７】
そして、この開口部８ｂ内部には、対物レンズ６の補正環６ｂを調整するための補正環調整機構が設けられている。
【００３８】
この場合、固定台５の上側端面５ｅには、ねじ部５ｆが形成されている。このねじ部５ｆには、保持軸１５が設けられている。
【００３９】
保持軸１５は、基端部にねじ部１５ａが設けられ、また、先端部に、フランジ部１５ｂが形成されている。そして、保持軸１５は、ねじ部１５ａを固定台５側のねじ部５ｆにねじ込むことで、固定台５の上側端面５ｅ上に直立して設けられ、対物レンズ６の光軸Ｑと平行な中心軸を持つようになっている。
【００４０】
保持軸１５には、回動アーム１７の基端部が回動可能に保持されている。回動アーム１７は、基端部に開口１７ａが形成され、この開口１７ａに保持軸１５が挿通されている。また、固定台５の上側端面５ｅと回動アーム１７との間には、中空円板状のワッシャ１６ａ（ポリアセタール製）が介挿され、フランジ部１５ｂと回動アーム１７と間には、中空円板状のワッシャ１６ｂ（ポリアセタール製）と波ワッシャ１８ａ（金属製）が介挿されている。
【００４１】
この場合、波ワッシャ１８ａは、自然の厚さ方向の寸法より小さくなるように適度に押し潰されている。これにより、回動アーム１７は、保持軸１５に対し所定の摩擦力を持って保持されている。
【００４２】
回動アーム１７の先端部は、試料保持台８の開口部８ｂを向いて配置されている。この先端部には、ねじ部１７ｂが設けられている。このねじ部１７ｂには、回転支持軸１８が設けられている。
【００４３】
回転支持軸１８は、基端部にねじ部１８ａが設けられ、また、先端部に、フランジ部１８ｂが形成されている。そして、回転支持軸１８は、ねじ部１８ａを回動アーム１７側のねじ部１７ｂにねじ込むことで、回動アーム１７の先端部に直立して設けられ、対物レンズ６の光軸Ｑと平行な中心軸を持つようになっている。
【００４４】
回転支持軸１８には、円板状の操作部材１９が回転可能に設けられている。操作部材１９は、中心部に開口部１９ａが形成され、この開口部１９ａの周縁部に沿って溝部１９ｂが形成されている。また、操作部材１９の周面にも補正環６ｂのローレット６ｃと同一ピッチを持つローレット１９ｃ（図３参照）が形成されている。
【００４５】
操作部材１９の開口部１９ａには、回転支持軸１８が挿通されている。この場合、回転支持軸１８のフランジ部１８ｂは、操作部材１９の溝部１９ｂに収められている。回動アーム１７と操作部材１９との間には、中空円板状のワッシャ２０（ポリアセタール製）が介挿されている。
【００４６】
この場合、固定台５の上側端面５ｅの光軸Ｑ方向の高さ位置に、ワッシャ１６ａ、回動アーム１７、ワッシャ２０および操作部材１９のそれぞれの厚さ寸法を加えた合計により決まる操作部材１９の光軸Ｑ方向の高さ位置が、対物レンズ６の補正環６ｂの位置と一致するように調整されている。また、操作部材１９は、回動アーム１７の回転支持軸１８を中心に回転可能に支持された状態で、回動アーム１７とともに、保持軸１５を中心として回動可能になっている。このとき、操作部材１９のローレット１９ｃが対物レンズ６の補正環６ｂのローレット６ｃに正確に当接するように回動アーム１７の開口１７ａの中心位置と、ねじ部１７ｂの中心位置との距離が決められている。
【００４７】
また、操作部材１９は、ローレット１９ｃが対物レンズ６の補正環６ｂのローレット６ｃに噛合っている状態で（図４参照）、ローレット１９ｃ部分が試料保持台８の開口部８ｂから僅かに外部に突出し、このローレット１９ｃ部分に指先を押し当てて操作部材１９を回転操作することで、対物レンズ６の補正環６ｂを回転させることができるようになっている。
【００４８】
図１に戻って、顕微鏡本体１には、準焦ハンドル１３が設けられている。この準焦ハンドル１３は、回転操作することにより、試料支持装置４を取付けたレボルバ３を上下方向に移動可能にしている。
【００４９】
この状態で、試料支持装置４の試料台１１に載置されたスライドガラス（試料）１２の観察像は、対物レンズ６を介して顕微鏡本体１内部の図示しない観察光学系に投影され、接眼レンズ１４により観察できるようになっている。
【００５０】
次に、このように構成された第１の実施の形態の作用を説明する。
【００５１】
まず、準焦ハンドル１３を操作してレボルバ３を下方向に移動させるとともに、レボルバ３を回転して、所望する倍率の対物レンズ６を有する試料支持装置４の光路上に位置させる。なお、レボルバ３が下方向に移動している状態では、試料台１１は、試料保持台８のマグネット１０の吸着から開放されて試料支持装置４から離れ、顕微鏡本体１のステージ２上に残されている。
【００５２】
次に、準焦ハンドル１３を操作してレボルバ３を上方向に移動し、光路上に位置された試料支持装置４を上方向に移動させて、試料台１１を試料保持台８のマグネット１０に吸着させる。
【００５３】
そして、操作環７を回転操作して、スライドガラス（試料）１２と対物レンズ６の焦点との位置合わせを行う。この場合、操作環７を回転すると、固定台５のねじ部５ｄのピッチ分ずつ操作環７が対物レンズ６の光軸方向に沿って移動し、この操作環７とともに、試料保持台８もガイド穴８ａによりガイドされながら対物レンズ６の光軸方向に移動される。これにより、試料保持台８にマグネット１０を介して吸着された試料台１１は、試料保持台８とともに移動して、スライドガラス（試料）１２と対物レンズ６の相対位置関係が変化され、スライドガラス（試料）と対物レンズ６の焦点を一致させることができる。
【００５４】
このようにした試料支持装置４によれば、対物レンズ６とスライドガラス（試料）１２との間の機械的結合長さは、フォーカス機構としての固定台５、操作環７および試料保持台８のみにより決定され、極めて短く設定できるので、操作環７を回転操作して、スライドガラス（試料）１２と対物レンズ６の焦点と位置合せを行なった状態では、周囲温度が変化した場合でもスライドガラス（試料）１２と対物レンズ６の焦点の位置合せがほとんど変化することなく、また、外部振動に対しても影響を受けることがなくなり、常に安定した試料観察を行なうことができる。
【００５５】
このような試料支持装置４において、図３に示すように操作部材１９が対物レンズ６の補正環６ｂより離れている状態から、検鏡者が指先で操作部材１９を押すと、回動アーム１７が回転支持軸１８を中心に反時計方向に回動することにより、図４に示すように操作部材１９のローレット１９ｃを対物レンズ６の補正環６ｂのローレット６ｃに噛み合わせることができる。
【００５６】
この状態から、操作部材１９を回転操作すると、ローレット１９ｃとローレット６ｃが噛合った状態で、補正環６ｂを操作部材１９の回転方向に応じて、時計方向または反時計方向どちらの方向にも回転調整することができる。そして、このようにして補正環６ｂを回転調整することにより、対物レンズ６のスライドガラス（試料）１２の厚さの誤差による像の見えの劣化を補正することができる。
【００５７】
次に、対物レンズ６を、異なる直径の補正環を持った他の対物レンズと交換するような場合は、スライドガラス（試料）１２、試料台１１、試料保持台８を順に取り除き、さらに回動アーム１７を回転支持軸１８を中心に時計方向に回動して図３に示すように操作部材１９を対物レンズ６の補正環６ｂから離間させる。
【００５８】
この状態で、固定台５に固定される対物レンズ６を取り外し、異なる直径の補正環を持った他の対物レンズを固定する。ここでは説明の便宜上、他の対物レンズについても、上述した対物レンズ６と同符号を付している。
【００５９】
そして、試料保持台８、試料台１１、スライドガラス（試料）１２の順に装着した後、再び検鏡者が指先で操作部材１９を押すと、回動アーム１７が回転支持軸１８を中心に反時計方向に回動して、図４に示すように操作部材１９のローレット１９ｃを対物レンズ６の補正環６ｂのローレット６ｃに噛み合わせることができる。
【００６０】
この状態から、操作部材１９を回転操作すると、ローレット１９ｃとローレット６ｃが噛合った状態で、補正環６ｂを操作部材１９の回転方向に応じて、時計方向または反時計方向どちらの方向にも回転調整することができる。
【００６１】
従って、このようにすれば、対物レンズ６の補正環６ｂに対して円板状の操作部材１９を当接させ、この操作部材１９を外部から操作するにより補正環１６ｂを回転させることができるので、補正環付き対物レンズの補正環を外部から簡単に操作することができ、補正環調整を行うことができる。
【００６２】
また、円板状の操作部材１９は、基端部を回動自在に支持された回動アーム１７の先端部に回転可能に支持され、回動アーム１７の回動により操作部材１９を対物レンズ６の補正環６ｂに当接させた状態で、操作部材１９を回転することで補正環６ｂを操作できるので、異なる直径の補正環を持った対物レンズにも何ら問題なく適用することができる。
【００６３】
（第２の実施の形態）
次に、本発明の第２の実施の形態を説明する。
【００６４】
この場合、本発明が適用される倒立顕微鏡および同倒立顕微鏡に適用される試料支持装置のそれぞれの概略構成は、上述した図１および図２と同様なので、これらの図面を援用するものとする。
【００６５】
図５および図６は、第２の実施の形態の要部の概略構成を示すもので、図３および図４と同一部分には、同符号を付している。
【００６６】
この場合、回転支持軸１８には、円板状の操作板３１が回転可能に設けられている。この操作板３１も中心部に開口部（図示せず）が形成され、この開口部には、回転支持軸１８が挿通されている。
【００６７】
操作板３１には、外周縁に沿って弾性部材としてゴムリング３２が設けられている。このゴムリング３２には、ゴム硬度３０程度のシリコンゴムが用いられている。
【００６８】
この場合も、操作板３１は、ゴムリング３２が対物レンズ６の補正環６ｂのローレット６ｃに当接している状態で（図６参照）、ゴムリング３２部分が試料保持台８の開口部８ｂから僅かに外部に突出し、このゴムリング３２部分に指先を押し当てて操作板３１を回転操作することにより、対物レンズ６の補正環６ｂを回転させることができるようになっている。
【００６９】
その他は、図３および図４と同様である。
【００７０】
次に、このように構成された実施の形態の説明する。
【００７１】
このような試料支持装置４についても、図５に示すように操作板３１が対物レンズ６の補正環６ｂより離れている状態から、検鏡者が指先でゴムリング３２部分を押すと、回動アーム１７が回転支持軸１８を中心に反時計方向に回動することにより、図６に示すように操作板３１のゴムリング３２を対物レンズ６の補正環６ｂのローレット６ｃに当接させることができる。
【００７２】
この状態から、操作板３１を回転操作すると、ゴムリング３２とローレット６ｃとの間に摩擦力が作用して、補正環６ｂを操作板３１の回転方向に応じて、時計方向または反時計方向どちらの方向にも回転調整することができる。そして、このような補正環６ｂの回転調整により、対物レンズ６のスライドガラス（試料）１２の厚さの誤差による像の見えの劣化を補正することができる。
【００７３】
次に、対物レンズ６を、異なる直径の補正環を持った他の対物レンズと交換するような場合は、図２示すスライドガラス（試料）１２、試料台１１、試料保持台８を順に取り除き、さらに回動アーム１７を回転支持軸１８を中心に時計方向に回動して図５に示すように操作板３１を対物レンズ６の補正環６ｂから離間させる。
【００７４】
この状態で、固定台５に固定される対物レンズ６を取り外し、異なる直径の補正環を持った他の対物レンズを固定する。ここでは説明の便宜上、他の対物レンズについても、上述した対物レンズ６と同符号を付している。
【００７５】
そして、試料保持台８、試料台１１、スライドガラス（試料）１２の順に装着した後、再び検鏡者が指先でゴムリング３２部分を押すと、回動アーム１７が回転支持軸１８を中心に反時計方向に回動して、図６に示すように操作板３１のゴムリング３２部分を対物レンズ６の補正環６ｂのローレット６ｃに当接させることができる。
【００７６】
この状態から、操作板３１を回転操作すると、ゴムリング３２とローレット６ｃとの間に摩擦力が作用して、補正環６ｂを操作板３１の回転方向に応じて、時計方向または反時計方向どちらの方向にも回転調整することができる。
【００７７】
このような構成によっても、第１の実施の形態と同様な効果を期待できる。さらに、操作板３１のゴムリング３２部分を補正環６ｂのローレット６ｃに当接させるようにしているので、異なるピッチのローレット６ｃを有する補正環６ｂを持った対物レンズ６が装着された場合でも、ゴムリング３２をローレット６ｃに押し当てることで、補正環６ｂを確実に回転させ、補正環調整を行うことができる。
【００７８】
なお、上述した実施の形態の形態では、操作部材のローレットが対物レンズの補正環のローレットに正確に当接するように、回動アームの開口の中心位置とねじ部の中心位置との距離が決められていたが、例えば回転部材のローレットの幅を補正環のローレットの幅より広めに設定することで、例えば対物レンズごとに補正環の位置が光軸方向で異なっていたとしても適用することができる。
【００７９】
また、上述した実施の形態では、回動アームを回転支持軸を中心に時計方向に回動して操作部材を対物レンズの補正環から離間するようにしていたが、例えばバネなどの弾性部材の伸縮力を利用し、回動アームが回転支持軸を中心に時計方向に回動する方向に力が働くようにすることで、補正環を操作する時以外は、操作部材を対物レンズの補正環から離間させるようにすることもできる。
【００８０】
また、上述した実施の形態では、回動アームを用いて説明したが、これらに限られるものではなく、以下に示すように、例えば回動アームを用いないで補正環を操作したり、または操作部材を対物レンズの補正環に押し付けるようにして操作してもよく、第１の実施の形態と同様な効果を奏することができる。
【００８１】
以下に、図７、図８を用いて上記変形例をそれぞれの構成を簡単に説明する。
【００８２】
図７に示す試料支持装置では、固定台５の上側端面５ｅに設けられた軸３３の側面３３ａと嵌合する長穴３４ａを有するリング３４と、このリング３４の外周３４ｂと嵌合する内径３５ａを有するリング３５とから構成され、さらにリング３５の外周３５ｂが対物レンズ６のローレット６ｃと噛合可能となっている点が、第１の実施の形態と異なっている。この場合、リング３４は、軸３３に対して対物レンズ６の中心方向に移動可能に構成され、リング３５は、リング３４を回転軸として回転可能になっている。
【００８３】
一方、図８に示す試料支持装置では、固定台５の上側端面５ｅに設けられた軸３７と、この軸３７と嵌合する長穴３６ａを有する角棒３６とから構成され、角棒３６は、長穴３６ａの長手方向に沿った方向に移動可能であるとともに、軸３７を中心軸として旋回可能に構成され、さらに角棒３６の側面３６ｂが対物レンズ６のローレット６ｃと噛合可能となっている点が、第１の実施の形態と異なっている。
【００８４】
また、第２の実施の形態では、ゴムリングにゴム硬度３０程度のシリコンを用いたが、これに限るものではない。
【００８５】
その他、本発明は、上記実施の形態に限定されるものでなく、実施段階では、その要旨を変更しない範囲で種々変形することが可能である。
【００８６】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００８７】
【発明の効果】
以上述べたように本発明によれば、補正環付き対物レンズの補正環を簡単に回転操作でき、しかも異なる直径の補正環を持つ対物レンズにも適用できる補正環調整機能を有する試料保持装置を提供できる。
【図面の簡単な説明】
【図１】本発明の第１の実施の形態が適用される倒立型顕微鏡の概略構成を示す図。
【図２】第１の実施の形態に用いられる試料支持装置の概略構成を示す図。
【図３】第１の実施の形態に用いられる試料支持装置の一部横断面を示す図。
【図４】第１の実施の形態に用いられる試料支持装置の一部横断面を示す図。
【図５】本発明の第２の実施の形態に用いられる試料支持装置の一部横断面を示す図。
【図６】第２の実施の形態に用いられる試料支持装置の一部横断面を示す図。
【図７】本発明の変形例の要部の概略構成を示す図。
【図８】本発明の他の変形例の要部の概略構成を示す図。
【符号の説明】
１…顕微鏡本体、２…ステージ、３…レボルバ、３ａ…穴部
４…試料支持装置、５…固定台、５ａ…小径部、５ｂ…対物ねじ部
５ｃ、５ｄ、５ｆ…ねじ部、５ｅ…上側端面、６…対物レンズ
６ａ…ねじ部、６ｂ…補正環、６ｃ…ローレット、７…操作環
７ａ…底部、８…試料保持台、８ａ…ガイド穴、８ｂ…開口部、
８ｃ…折り曲げ部、９…ピン、１０…マグネット、１１…試料台、
１１ａ…観察用穴部、１２…試料、１３…準焦ハンドル、１４…接眼レンズ
１５…保持軸、１５ａ…ねじ部、１５ｂ…フランジ部
１６ａ、１６ｂ…ワッシャ、１７…回動アーム、１７ａ…開口
１８ａ…波ワッシャ、１８…回転支持軸、１８ａ…ねじ部
１８ｂ…フランジ部、１９…操作部材、１９ａ…開口部、１９ｂ…溝部
１９ｃ…ローレット、２０…ワッシャ、３１…操作板、３２…ゴムリング
【図１】
2005017454.tif 000003
【図２】
2005017454.tif 000004
【図３】
2005017454.tif 000005
【図４】
2005017454.tif 000006
【図５】
2005017454.tif 000007
【図６】
2005017454.tif 000008
【図７】
2005017454.tif 000009
【図８】
2005017454.tif 000010